(57)【要約】【課題】  Ｗｅｂ機能を持ったＩＰ電話端末からの録音メッセージの再生要求が発生した場合、録音された音声メッセージをＩＰ電話端末でダウンロード後にＩＰ電話端末自身で再生できる音声録音再生装置および音声録音再生方法を提供する。【解決手段】  ＩＰ電話端末６０から録音された音声データを記憶し、記憶された音声データの再生要求を受信すると、ＩＰ電話端末６０がＷｅｂ機能を備えている場合は、Ｗｅｂページを作成、記憶し、記憶されたＷｅｂページにアクセスするためのＵＲＬ情報をＩＰ電話端末６０に送信し、Ｗｅｂページからダウンロードした音声データをＩＰ電話端末６０自身で再生する。【選択図】      図１
2007013523.tif 000002
【特許請求の範囲】
【請求項１】
情報端末から録音された音声データを記憶する第１の記憶手段と、
前記第１の記憶手段に記憶された音声データの再生要求を前記情報端末から受信すると、前記情報端末がＷｅｂ機能を備えている情報端末である場合は、当該情報端末に前記音声データをダウンロード処理が可能なＷｅｂページを作成し、記憶する第２の記憶手段と、
前記第２の記憶手段に記憶されたＷｅｂページにアクセスするためのＵＲＬ情報を前記情報端末に送信する送信手段と、
前記情報端末がＷｅｂ機能を備えていない場合は、前記第１の記憶手段に記憶された音声データを再生する再生手段と、
を具備することを特徴とする音声録音再生装置。
【請求項２】
請求項１記載の音声録音再生装置において、
前記Ｗｅｂページは、さらに、前記音声データのリストの閲覧処理及び／又は削除処理が可能となるように作成することを特徴とする音声録音再生装置。
【請求項３】
請求項１記載の音声録音再生装置において、
前記情報端末が前記ＵＲＬ情報に基づいてＷｅｂページにアクセスし、前記音声データのダウンロード要求があった場合は、対応する音声データを前記第２の記憶手段から読み出し、前記情報端末に送信することを特徴とする音声録音再生装置。
【請求項４】
情報端末から録音された音声データを記憶する第１の記憶手段と、
前記第１の記憶手段に記憶された音声データの再生要求を前記情報端末から受信すると、前記情報端末がＷｅｂ機能を備えている情報端末である場合は、前記第１の記憶手段に記憶された音声データを読み出す読み出し手段と、
読み出された前記音声データに当該音声データをダウンロード可能なリンク情報を付加してＷｅｂページを作成し、記憶する第２の記憶手段と、
前記第２の記憶手段に記憶されたＷｅｂページのＵＲＬ情報を前記情報端末に送信する送信手段と、
前記情報端末がＷｅｂ機能を備えていない場合は、前記第１の記憶手段に記憶された音声データを再生する再生手段と、
を具備することを特徴とする音声録音再生装置。
【請求項５】
請求項４記載の音声録音再生装置において、
前記Ｗｅｂページは、さらに、前記音声データのリストの閲覧処理及び／又は削除処理が可能となるように作成することを特徴とする音声録音再生装置。
【請求項６】
請求項４記載の音声録音再生装置において、
前記情報端末が前記ＵＲＬ情報に基づいてＷｅｂページにアクセスし、前記音声データのダウンロード要求があった場合は、対応する音声データを前記第２の記憶手段から読み出し、前記情報端末に送信することを特徴とする音声録音再生装置。
【請求項７】
音声録音再生装置に情報端末から音声を録音、再生するシステムで用いられる音声録音再生方法であって、
前記情報端末から録音された音声データを前記音声録音再生装置の記憶手段に記憶する第１の記憶ステップと、
前記第１の記憶ステップにより記憶された音声データの再生要求を前記情報端末から受信した場合は、前記記憶手段に記憶された音声データを読み出す読み出しステップと、
読み出された前記音声データに当該音声データをダウンロード可能なリンク情報を付加してＷｅｂページを作成し、前記記憶手段に記憶する第２の記憶ステップと、
前記記憶手段に記憶されたＷｅｂページのＵＲＬ情報を前記情報端末に送信する送信ステップと、
前記情報端末がＷｅｂ機能を備えていない場合は、前記記憶手段に記憶された音声データを再生する再生ステップと、
を含むことを特徴とする音声録音再生方法。
【請求項８】
請求項７に記載の音声録音再生方法において、
前記Ｗｅｂページは、前記音声データのリストの閲覧処理及び／又は前記音声データの削除処理が可能となるように作成することを特徴とする音声録音再生方法。
【請求項９】
請求項７記載の音声録音再生方法において、
前記情報端末が前記ＵＲＬ情報に基づいてＷｅｂページにアクセスし、前記音声データのダウンロード要求があった場合は、対応する音声データを前記記憶手段から読み出し、前記情報端末に送信することを特徴とする音声録音再生方法。
【発明の詳細な説明】
【技術分野】
【０００１】
この発明は、例えば電話端末からボイスメール等の録音・再生を行う場合、Ｗｅｂ機能を備えた電話端末で音声データとしてダウンロードに電話端末自身で再生を行う音声録音再生装置および音声録音再生方法に関する。
【背景技術】
【０００２】
近年、ボタン電話装置、音声録音再生装置においてＩＰ（Internet Protocol）網を介した音声ネットワークが構築され始め、音声録音再生装置もIP網を介してボタン電話装置、音声録音再生装置、ＩＰ電話端末と接続されている。音声録音再生装置は、６４Ｋｂｐｓの音声を圧縮して録音することで多くの音声を録音するが、この音声圧縮のためにＤＳＰ（Digital Signal Processor）など高価な音声処理プロセッサが必要となっている（例えば特許文献１）。
【特許文献１】特開２００２−７７４１６公報。
【発明の開示】
【発明が解決しようとする課題】
【０００３】
ところで、上述したシステムでは、音声処理プロセッサの同時処理数によって音声録音再生装置で処理できる通話数が制限されることになる。また、同時に処理できる通話数を増加させるためには、高価な音声処理プロセッサが多数必要となり、音声録音再生装置の価格が高価になる問題がある。
【０００４】
また、ＩＰ電話端末には、ＰＣの他、Ｗｅｂ機能を持つ高機能な電話端末が存在するが、高機能な端末に対しても音声録音再生装置から従来の電話機と同じ音声ガイダンスを用いた操作が要求されるためユーザの利便性が悪いという問題がある。
【０００５】
そこで、この発明の目的は、Ｗｅｂ機能を持ったＩＰ電話端末からの録音メッセージの再生要求が発生した場合、録音された音声メッセージをＩＰ電話端末でダウンロード後にＩＰ電話端末自身で再生できる音声録音再生装置および音声録音再生方法を提供することにある。
【課題を解決するための手段】
【０００６】
この発明は、上記目的を達成するために、以下のように構成される。
【０００７】
情報端末から録音された音声データを記憶する第１の記憶手段と、前記第１の記憶手段に記憶された音声データの再生要求を前記情報端末から受信すると、前記情報端末がＷｅｂ機能を備えている情報端末である場合は、当該情報端末に前記音声データをダウンロード処理が可能なＷｅｂページを作成し、記憶する第２の記憶手段と、前記第２の記憶手段に記憶されたＷｅｂページにアクセスするためのＵＲＬ情報を前記情報端末に送信する送信手段と、前記情報端末がＷｅｂ機能を備えていない場合は、前記第１の記憶手段に記憶された音声データを再生する再生手段と、を具備することを特徴とする音声録音再生装置が提供される。
【発明の効果】
【０００８】
この発明によれば、録音された音声メッセージをＩＰ電話端末でダウンロード後にＩＰ電話端末自身で再生できる音声録音再生装置および音声録音再生方法を提供することができる。
【発明を実施するための最良の形態】
【０００９】
以下、この発明の一実施形態について図面を参照して詳細に説明する。  
図１は、この発明に係わる音声録音再生装置を適用した音声録音再生システムを示す概略構成図である。なお、当該システムは、例えばボイスメールサービス等に用いられるものである。
【００１０】
本システムは、例えばＬＡＮ（Local Area Network）５０を有する。ＬＡＮ５０には、複数のＩＰ電話端末６０、ボタン電話装置／電話交換機４０が接続されている。なお、ＩＰ電話端末（情報端末）６０は、通話処理機能とメディア情報処理機能とを備えた電話端末であり、ＰＤＡ（Personal Digital Assistance）、ＰＣ（Personal Computer）等も含まれる。
【００１１】
また、ＬＡＮ５０には、音声録音再生装置３０が接続されている。音声録音再生装置３０は、ＬＡＮ５０上に接続された複数のＩＰ電話端末６０またはボタン電話装置／電話交換機４０からの音声データを録音し、記憶する。さらに、音声録音再生装置３０は、記憶した音声データを再生したり、音声データのリストをダウンロード可能にＷｅｂページとして作成することができる。
【００１２】
図２は、音声録音再生装置３０の構成を示すブロック図である。  
音声録音再生装置３０は、着信したＩＰ電話端末６０またはボタン電話装置／電話交換機４０からの音声データの圧縮処理等を行う音声処理プロセッサ１０と、音声処理プロセッサ１０によって圧縮された音声データの記憶、再生処理等を行うＣＰＵ７と、音声データを記憶する記憶装置６と、発着信の信号、音声の信号の送受を行うＬＡＮ５０に接続されたＬＡＮ  Ｉ／Ｆ９と、一時的にデータを記憶するメモリ８と、入力手段であるキーボード２およびキーボード制御部５と、表示手段である表示装置１および表示制御部４とを備えている。
【００１３】
音声処理プロセッサ１０は、記憶装置６に記憶された音声データを、通信先端末であるＩＰ電話端末６０との間でネゴシエーションにより決定された符号化形式の音声パケットに変換し、ＬＡＮ  Ｉ／Ｆ９を介してＩＰ電話端末６０に送出する。
【００１４】
図３は、ＩＰ電話端末６０の構成を示すブロック図である。  
ＩＰ電話端末６０は、発着信の信号、音声の信号の送受を行うＬＡＮ５０に接続されたＬＡＮ  Ｉ／Ｆ２０と、ＬＡＮ  Ｉ／Ｆ２０によって受信された音声データの圧縮処理等を行う音声処理プロセッサ２２と、ＩＰ電話端末６０の制御処理等を行うＣＰＵ１８と、音声処理プロセッサ２２によって圧縮された音声データを音声処理するAudio制御部１７と、Audio制御部１７により音声処理された音声データを再生するハンドセット１３と、音声データ等を記憶するメモリ１９と、ユーザインターフェース入力手段であるキーボード１２およびキーボード制御部１６と、ディスプレイ等の表示手段である表示装置１１および表示制御部１５とを備えている。
【００１５】
ＩＰ電話端末６０のハンドセット１３のマイクから入力された音声は、Audio制御部１７によって音声処理プロセッサ２２により通信先端末である音声録音再生装置３０との間でネゴシエーションにより決定された符号化形式の音声パケットに変換され、ＬＡＮ  Ｉ／Ｆ２０を用いてに送出される。
【００１６】
次に、この発明に係わる音声録音再生装置３０を適用した音声録音再生方法について説明する。
【００１７】
図４は、ＩＰ電話端末６０からの音声の録音処理を説明したフローチャートである。
【００１８】
音声録音再生装置３０のＣＰＵ７は、着信したＩＰ電話端末６０への録音要求があったか否かを判別する（図４のステップＳ１）。
【００１９】
ステップＳ１で、音声録音再生装置３０のＣＰＵ７によってＩＰ電話端末６０への録音要求があったと判別された場合は、音声録音再生装置３０の記憶装置６にＩＰ電話端末６０への録音内容を音声データとして記憶する（図４のステップＳ２）。このとき、音声録音再生装置３０の記憶装置６に記憶される音声データは、ＩＰ電話端末６０で再生可能な形式で記憶することが望ましい。また、ＩＰ電話端末６０で再生可能な形式でない場合でも、音声録音再生装置３０の音声処理プロセッサ１０によって、ＩＰ電話端末６０で再生可能な形式に変換することができる。また、記憶された音声データは、ＩＰ電話端末６０から受信した例えば当該ＩＰ電話端末６０の電話番号情報で管理されている。
【００２０】
図５は、ＩＰ電話端末６０に記憶された音声データのリストの閲覧、音声データのダウンロード、削除等の管理を行うことができるＷｅｂページの作成処理を説明したフローチャートである。
【００２１】
音声録音再生装置３０のＣＰＵ７は、ＩＰ電話端末６０から録音された音声データの再生要求を受けると、通話先端末であるＩＰ電話端末６０がＷｅｂ機能を備えているか否かを判別する（図５のステップＳ１０）。
【００２２】
ステップＳ１０で、ＩＰ電話端末６０がＷｅｂ機能を備えていると判別されると、音声録音再生装置３０のＣＰＵ７は、ＩＰ電話端末６０から電話番号情報を受け取り、該当する音声データを記憶装置６から読み出す（図５のステップＳ１１）。
【００２３】
続いて、音声録音再生装置３０のＣＰＵ７は、読み出した音声データと、この音声データをダウンロード可能なリンク情報を付加して、再生要求を受けたＩＰ電話端末６０の専用のＷｅｂページ（後述する図７参照）として作成する（図５のステップＳ１２）。
【００２４】
音声録音再生装置３０のＣＰＵ７は、該当するＩＰ電話端末６０から録音された全音声データについてリンク情報を付加し、全音声データのリストが含まれるＷｅｂページの作成が完了したと判別されると（図５のステップＳ１３のＹＥＳ）、作成されたＷｅｂページを記憶装置６に記憶する。一方、ステップＳ１３で、まだ録音された音声データがすべてＷｅｂページに含まれていないと判別されると、ステップＳ１１に遷移し、録音された音声データの追加を行う。
【００２５】
音声録音再生装置３０のＣＰＵ７は、記憶装置６に記憶されたＷｅｂページのアクセス情報であるＵＲＬ(Uniform Resource Locator)情報を着信した端末であるＩＰ電話端末６０に呼制御で使用しているIPコネクション等を用いて送信する（図５のステップＳ１４）。
【００２６】
（IP電話端末60からの再生要求が発生した度にWebページを生成しますので本処理は不要と思います。）  一方、ステップＳ１０で、通話先端末であるＩＰ電話端末６０がＷｅｂ機能を備えていないと判別されると、音声録音再生装置３０のＣＰＵ７は、音声録音再生装置３０の音声処理プロセッサ１０を用いて、録音された音声データの再生処理を行う（図５のステップＳ１５）。
【００２７】
図６は、ＩＰ電話端末６０による音声データのダウンロード、再生処理を説明したフローチャートである。
【００２８】
ＵＲＬ情報を受信したＩＰ電話端末６０は、当該ＩＰ電話端末６０が備えるＷｅｂ機能によりＵＲＬ情報に基づいて該当するＷｅｂページにアクセスを行う。
【００２９】
図７は、Ｗｅｂページの一例を示した模式図である。図７に示すように、録音された音声データの一覧がユーザごとに表示される。ユーザ名が音声録音再生装置３０の記憶装置６に登録されていなければ、ＩＰ電話端末６０に着信した電話番号情報を表示してもよい。例えば、090-****-****様と表示することで、各ユーザ専用のＷｅｂページを表示する。
【００３０】
さらにＷｅｂページは、音声録音再生装置３０により、例えば、録音された順番にファイル名で管理されており、ファイル名ごとに録音日時、録音時間、相手先電話番号等が一覧表示される。また、例えば、録音日時には当該音声データをダウンロードするためにリンクが張ってあり、下線が表示されるようになっている。
【００３１】
Ｗｅｂページには、音声データを任意に削除する機能を設けることもできる。図７に示すように、削除領域１００には、各ファイル名ごとにチェックボックスが設けられており、このチェックボックスにチェックをして、例えば、削除実行ボタン１０１をクリックすることにより、該当する音声データが一覧から削除される。
【００３２】
以上のようなＷｅｂページにアクセスしたＩＰ電話端末６０からの要求により、上述したリンクが選択されると、音声データのダウンロードが開始される。
【００３３】
図８は、ダウンロードされた音声データの構成を示した模式図である。音声データは、例えば、音声データのファイル名の情報、音声データの符号化形式の情報、音声データのサイズの情報、および音声データ本体から構成されている。
【００３４】
ＩＰ電話端末６０は、音声データのダウンロードが終了すると、ダウンロードした音声データのファイル名（例えば、図７に示す001.ogg）の拡張子、例えばoggからダウンロードしたファイルが音声データであることを検出し、音声データの符号化形式を読み出す（図６のステップＳ２１）。拡張子はoggのように独自に規定しても良いし、wavなどを使用しても良い。
【００３５】
ＩＰ電話端末６０のＣＰＵ１８は、ダウンロードした音声データに記述された符号化形式と音声処理プロセッサ２２に設定した符号化形式とを比較する。両者の符号化形式が不一致の場合（図６のステップＳ２２のＮＯ）、ＩＰ電話端末６０のＣＰＵ１８は、音声データに記述された符号化形式に音声処理プロセッサ２２の符号化形式を再設定する（図６のステップＳ２３）。一方、ステップＳ２２で、両者の符号化形式が一致した場合は（図６のステップＳ２２のＹＥＳ）、ステップＳ２４に遷移する。
【００３６】
次に、ＩＰ電話端末６０のＣＰＵ１８は、ダウンロードした音声データのサイズを読み出し（図６のステップＳ２４）、ダウンロードした音声データのうち、音声処理プロセッサ２２が処理できるサイズの音声データを音声処理プロセッサ２２に入力する。音声データが入力された音声処理プロセッサ２２は、入力された音声データを所定の形式に変換し、Audio制御部１７によりハンドセット１３のスピーカ等で再生する（図６のステップＳ２５）。なお、音声データの再生中は、ＬＡＮ  Ｉ／Ｆ２０から受信した音声パケットは破棄する。
【００３７】
以上より、ダウンロードされた音声データをＩＰ電話端末６０の音声処理プロセッサ２２を用いてＩＰ電話端末６０のハンドセット１３（またはスピーカ等）で再生することにより、音声録音再生装置３０の高価な音声処理プロセッサ１０を使用することなく、同時に多数の音声を安価に処理することが可能となる。また、Ｗｅｂページを利用して録音メッセージを管理することにより、ユーザの利便性も向上する。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】この発明に係わる音声録音再生装置を適用した音声録音再生システムを示す概略構成図。
【図２】音声録音再生装置の構成を示すブロック図。
【図３】ＩＰ電話端末の構成を示すブロック図。
【図４】ＩＰ電話端末からの音声の録音処理を説明したフローチャート。
【図５】ＩＰ電話端末に記憶された音声データのリストの閲覧、音声データのダウンロード、削除等の管理を行うことができるＷｅｂページの作成処理を説明したフローチャート。
【図６】ＩＰ電話端末による音声データのダウンロード、再生処理を説明したフローチャート。
【図７】Ｗｅｂページの一例を示した模式図。
【図８】ダウンロードされた音声データの構成を示した模式図。
【符号の説明】
【００４０】
１…表示装置、２…キーボード、４…表示制御部、５…キーボード制御部、６…記憶装置、７、１８…ＣＰＵ、８、１９…メモリ、１０、２２…音声処理プロセッサ、１１…表示装置、１２…キーボード、１３…ハンドセット、１５…表示制御部、１６…キーボード制御部、１７…制御部、３０…音声録音再生装置、４０…電話交換機、５０…ＬＡＮ、６０…ＩＰ電話端末、１００…削除領域、１０１…削除実行ボタン。
【図１】
2007013523.tif 000003
【図２】
2007013523.tif 000004
【図３】
2007013523.tif 000005
【図４】
2007013523.tif 000006
【図５】
2007013523.tif 000007
【図６】
2007013523.tif 000008
【図７】
2007013523.tif 000009
【図８】
2007013523.tif 000010